(57)【要約】【課題】より簡単な構成で車載装置と携帯端末とを連携させることができる。【解決手段】車載装置２は、発信信号強度の情報を含んだ第１の無線データを発信する第１の発信機２２１と、稼働条件指示情報を含んだ第２の無線データを受信する第１の受信機２２２と、を有する。携帯端末３は、第１の無線データを受信する第２の受信機３６２と、受信信号強度と発信信号強度とから車載装置２との距離を判定する判定部３２と、第２の無線データを発信する第２の発信機３６１と、を有する。携帯端末３は、判定部３２が車載装置２との距離を所定の値又は該所定の値未満と判定した場合、第２の発信機３６１が第２の無線データを発信する。【選択図】図１
2020053987.tif 000002
【特許請求の範囲】
【請求項１】
車両に搭載される車載装置の第１の記憶部に記憶されるプログラムであって、
発信信号強度の情報を含んだ第１の無線データを発信させ、
前記第１の無線データを受信した携帯端末の受信信号強度と前記第１の無線データの発信信号強度とから前記携帯端末との距離が所定の値又は該所定の値未満の場合に前記携帯端末から発信され、稼働条件を指示する稼働条件指示情報を含んだ第２の無線データを受信させ、
前記稼働条件指示情報に基づいて前記稼働条件を設定させるように前記車載装置を機能させることを特徴とするプログラム。
【請求項２】
前記車載装置は、少なくとも操作情報、地図情報、若しくはＰＯＩ情報のいずれか１つを表示する車載表示部をさらに備えており、
前記稼働条件は、前記車載表示部においてユーザ好みの表示を実行させる画面設定情報が含まれる請求項１に記載のプログラム。
【請求項３】
前記車載装置は、音楽を再生するオーディオ機能、若しくは動画を再生する動画再生機能のいずれか１つを有しており、
前記稼働条件は、前記オーディオ機能において再生させる曲情報、若しくは前記動画再生機能において再生させる動画情報が含まれる請求項１または請求項２に記載のプログラム。
【請求項４】
車両に搭載される車載装置の装置制御方法であって、
発信信号強度の情報を含んだ第１の無線データを発信する第１の発信ステップと、
前記第１の無線データを受信した携帯端末の受信信号強度と前記第１の無線データの発信信号強度とから前記携帯端末との距離が所定の値又は該所定の値未満の場合に前記携帯端末から発信され、稼働条件を指示する稼働条件指示情報を含んだ第２の無線データを受信する第１の受信ステップと、
前記稼働条件指示情報に基づいて前記稼働条件を設定する稼働設定ステップと、を有することを特徴とする装置制御方法。
【請求項５】
携帯端末を制御する端末制御方法であって、
車両に搭載される車載装置から発信信号強度の情報を含んだ第１の無線データを受信する第２の受信ステップと、
前記第１の無線データを受信した受信信号強度と前記第１の無線データの発信信号強度とから前記車載装置との距離を判定する判定ステップと、
前記判定ステップにおいて前記車載装置との距離を所定の値又は該所定の値未満と判定した場合、前記車載装置の稼働条件を設定する稼働条件指示情報を含んだ第２の無線データを発信する第２の発信ステップと、を有することを特徴とする端末制御方法。
【発明の詳細な説明】
【技術分野】
【０００１】
本発明は、車両に搭載される車載装置と、携帯端末とで情報を連携させる情報連携システムに用いられるプログラム、装置制御方法及び端末制御方法に関する。
【背景技術】
【０００２】
従来、車両に搭載される車載装置と、携帯端末とを無線通信させて、無線通信が確立された携帯端末から画像や音声などの情報を車載装置に提供することが行われている。
この種の情報連携システムとしては、車載装置が無線通信の可能な所定の距離に位置する携帯端末を検知した場合、検知した携帯端末からデータを取得する無線通信システムが知られている（特許文献１参照）。
【０００３】
特許文献１の無線通信システムでは、車載装置が無線通信可能な領域に携帯端末が侵入した場合、車載装置の無線確立部が検知した携帯端末に対して近距離通信を用いてペアリング処理を実施し、携帯端末との間に無線通信を確立している。特許文献１の無線通信システムは、接続相手の特定および認証、通信に用いる共通の暗号化設定などを双方の装置で行うペアリング処理を無線確立部が行うことで、ユーザのスキルに関係なく、携帯端末装置と、車載装置とを簡単に連携制御させることができる、としている。
【先行技術文献】
【特許文献】
【０００４】
【特許文献１】特開２０１０−１３０６６９号公報
【発明の概要】
【発明が解決しようとする課題】
【０００５】
ところで、情報連携システムでは、より簡単な構成で車載装置と携帯端末とを連携させることが求められており、近距離通信を用いたペアリング処理を実施する無線確立部が必要な特許文献１の構成では十分ではなく、更なる改良が求められている。
【０００６】
そこで、本発明は上記事由に鑑みて為されたものであり、より簡単な構成で車載装置と携帯端末とを連携させる情報連携システムに用いられるプログラム、装置制御方法及び端末制御方法を提供することを目的とする。
【課題を解決するための手段】
【０００７】
上記の目的を達成するため、本開示にかかる情報連携システムは、車載装置と、携帯端末と、を備える。上記車載装置は、車両に搭載される。上記車載装置は、第１の発信機と、第１の受信機と、稼働設定部と、を有する。上記第１の発信機は、第１の無線データを発信する。上記第１の受信機は、第２の無線データを受信する。上記稼働設定部は、上記車載装置の稼働条件を設定する。上記携帯端末は、第２の受信機と、第２の発信機と、判定部と、を有する。上記第２の受信機は、上記第１の無線データを受信する。上記第２の発信機は、上記第２の無線データを発信する。上記判定部は、上記第１の無線データを受信した受信信号強度と、上記第１の無線データの発信信号強度とから上記車載装置との距離を判定する。上記第１の無線データは、上記発信信号強度の情報を含んでいる。上記第２の無線データは、上記稼働条件を指示する稼働条件指示情報を含んでいる。上記携帯端末は、上記判定部が上記車載装置との距離を所定の値又は当該所定の値未満と判定した場合、上記第２の発信機が上記第２の無線データを発信する。上記車載装置は、上記稼働設定部が上記稼働条件指示情報に基づいて上記稼働条件を設定する。
【０００８】
本開示によれば、車載装置と携帯端末との距離が所定の値又は当該所定の値未満となった状態で、携帯端末から稼働条件指示情報が車載装置に発信され、車載装置において稼働条件が設定される。つまり、近距離通信を用いたペアリング処理を実施することなく、距離の判定を利用して車載装置と携帯端末とを連携させることができる。
【０００９】
上述の構成において、上記車両の車内には、上記第１の発信機と上記第１の受信機とが対として複数配置されてもよい。
【００１０】
上述の構成において、上記携帯端末は、上記第２の発信機が所定のデータ量、若しくは所定のデータ量未満の第２の無線データを発信してもよい。
【００１１】
上述の構成において、上記車載装置は、現在位置取得部と、経路探索部とをさらに有していてもよい。上記現在位置取得部は、現在位置を取得する。上記経路探索部は、上記現在位置から目的地までの経路を探索する。上記携帯端末は、位置情報取得部をさらに有していてもよい。上記位置情報取得部は、位置情報を取得する。上記第２の無線データは、上記位置情報取得部にて取得された位置情報を含んでいてもよい。上記車載装置の上記経路探索部は、上記現在位置取得部が取得した現在位置と、上記携帯端末の位置情報取得部が取得した位置情報とが所定の範囲内にある場合に、現在位置から目的地までの経路を探索する、ようにしてもよい。
【発明の効果】
【００１２】
本開示にかかる情報連携システムによれば、より簡単な構成で車載装置と携帯端末とを連携させることができる。
【図面の簡単な説明】
【００１３】
【図１】実施形態にかかる情報連携システムの概略構成ブロック図である。
【図２】実施形態にかかる車載装置及び携帯端末を示す図である。
【図３】実施形態にかかる情報連携システムにおいて実行される処理動作の手順を示すシーケンスである。
【図４】稼働条件指示情報を入力する際に携帯端末に表示される画面の例を示す図である。
【図５】携帯端末を車載通信機に近づけることを促すアテンションを表示する携帯端末の画面の例を示す図である。
【図６】第２の無線データを送信中である旨のアテンションを表示する携帯端末の画面の例を示す図である。
【図７】第２の無線データの送信完了のアテンションを表示する携帯端末の画面の例を示す図である。
【図８】稼働条件指示情報を受信した旨のアテンションを表示する車載装置の画面の例を示す図である。
【図９】稼働条件が設定された車載装置の画面の例を示す図である。
【発明を実施するための形態】
【００１４】
以下、本発明の実施の形態に係る情報連携システム１について、図面を参照しつつ説明する。
【００１５】
本実施の形態にかかる情報連携システム１は、図１及び図２に示すように、車載装置２と、携帯端末３と、を備えている。本実施の形態においては、車載装置２は、図２に示すように、車両１０に搭載される。図１では、信号の流れを実線の矢印、若しくは実線の両矢印で例示している。また、図１では、破線の矢印で無線信号の流れを例示している。
【００１６】
車載装置２は、車載本体部２１と、車載通信機２２とを備えている。
【００１７】
車載本体部２１は、制御部２１１と、第１の記憶部２１３と、現在位置取得部２１４と、車載表示部２１５と、第１の入力部２１６と、第１の出力部２１７とを備えている。車載本体部２１は、例えば、出発地から目的地までの経路探索及び案内を行うナビゲーション機能、音楽を再生するオーディオ機能、若しくは動画を再生する動画再生機能の少なくとも一つを有するように構成されている。本実施の形態においては、車載本体部２１がナビゲーション機能を有する例で説明する。
【００１８】
制御部２１１は、経路探索部２１２と、稼働設定部２１８とを有している。経路探索部２１２は、現在位置取得部２１４で取得される現在位置から目的地までの経路を探索する。経路探索部２１２は、探索により得られた経路を車載表示部２１５に表示させる。稼働設定部２１８は、車載装置２の稼働条件を設定する。本実施の形態では、車載装置２の稼働条件には、ユーザが指定する稼働条件が含まれる。車載装置２の稼働条件としては、車載表示部２１５においてユーザ好みの表示を実行するための画面設定情報が挙げられる。なお、例えば、車載本体部２１がオーディオ機能を有している場合、車載装置２の稼働条件としては、再生する曲の情報が挙げられる。例えば、車載本体部２１が動画再生機能を有している場合、車載装置２の稼働条件としては、再生する動画の情報が挙げられる。制御部２１１は、ＣＰＵ（Ｃｅｎｔｒａｌ  Ｐｒｏｃｅｓｓｉｎｇ  Ｕｎｉｔ）を用いて構成される。
【００１９】
第１の記憶部２１３は、例えば、ユーザプロファイルに応じた画面の設定を行うために必要なプログラム、ナビゲーション機能に必要なプログラム、その他各種情報を記憶するストレージである。第１の記憶部２１３は、携帯端末３から送られてきた稼働条件指示情報を記憶することができるように構成されている。本実施の形態では、第１の記憶部２１３は、ユーザプロファイルに応じた画面の設定を行うため、ユーザプロファイルと、画面設定情報との対応情報が記憶されている。第１の記憶部２１３は、例えば、不揮発性メモリで構成される。不揮発性メモリとしては、例えば、ＳＳＤ（Ｓｏｌｉｄ  Ｓｔａｔｅ  Ｄｒｉｖｅ）が挙げられる。
【００２０】
現在位置取得部２１４は、車両１０に搭載された車載装置２の現在位置を取得する。現在位置取得部２１４は、例えば、ＧＰＳ（Ｇｌｏｂａｌ  Ｐｏｓｉｔｉｏｎｉｎｇ  Ｓｙｓｔｅｍ）センサで構成される。現在位置取得部２１４は、ＧＰＳセンサに加え、ジャイロセンサ及び加速度センサを用いて構成されてもよい。
【００２１】
車載表示部２１５は、例えば、車載装置２を使用する際に必要な操作情報、地図情報、若しくはＰＯＩ（Ｐｏｉｎｔ  Ｏｆ  Ｉｎｔｅｒｅｓｔ）情報を表示することができるように構成されている。車載表示部２１５として、例えば、液晶表示装置、若しくは有機ＥＬ（Ｅｌｅｃｔｒｏ  Ｌｕｍｉｎｅｓｃｅｎｃｅ）表示装置が利用できる。車載表示部２１５には、表示機能に加え、入力機能を備えたタッチパネルが採用されてもよい。車載表示部２１５は、タッチパネルの代わりに、入力機能を持たない単なる表示装置でもよい。
【００２２】
第１の入力部２１６は、ユーザが車載装置２に対して各種情報を入力するために使用される。車載表示部２１５にタッチパネルが採用されている場合には、タッチパネルが第１の入力部２１６を兼ねてもよい。第１の入力部２１６として、タッチパネルの代わりに、入力専用の入力装置を採用してもよい。入力装置による情報の入力形態として、例えば、音声入力、物理キーによる入力、外部入力機器による入力が挙げられる。
【００２３】
第１の出力部２１７は、制御部２１１によって処理された出力情報を出力する。第１の出力部２１７による出力形態としては、例えば、音声出力、外部出力機器による外部出力が挙げられる。
【００２４】
車載通信機２２は、第１の発信機２２１と、第１の受信機２２２と、を備えている。車載通信機２２は、例えば、ＢＬＥ（Ｂｌｕｅｔｏｏｔｈ（登録商標）  Ｌｏｗ  Ｅｎｅｒｇｙ）の通信規格に対応した通信ができるように構成されている。車載通信機２２は、携帯端末３との距離が数センチ程度の近接距離において、稼働条件指示情報が無線通信で受信できるように構成されている。車載通信機２２と車載本体部２１とは、図２に示すように、別筐体で構成されている。車載通信機２２と車載本体部２１とは、通信線２２３で相互に情報通信できるように接続されている。図２では、車載通信機２２から無線の電波が発信される状態を、複数の円弧で図示している。車載通信機２２と車載本体部２１とは、通信線２２３で接続される構成だけに限られない。車載通信機２２と車載本体部２１とは、無線で情報通信できるように接続されてもよい。また、車載通信機２２と車載本体部２１とは、同じ筐体内に収容され物理的に一体として構成されてもよい。
【００２５】
第１の発信機２２１は、発信信号強度の情報を含んだ第１の無線データを発信する。第１の無線データの発信は、所定の時間間隔で行われる。第１の発信機２２１は、例えば、第１の無線データが１００ミリ秒から７００ミリ秒内での一定の時間間隔で発信できるように構成されている。第１の発信機２２１は、第１の無線データの発信間隔が短くなれば、第１の無線データが受信される可能性が高くなる傾向にある。第１の発信機２２１は、第１の無線データの発信間隔が短くなれば、消費電力が多くなる傾向にある。
【００２６】
第１の受信機２２２は、携帯端末３から発信される第２の無線データを受信する。第２の無線データには、携帯端末３で設定された稼働条件指示情報が含まれている。第２の無線データのデータ量は、所定のデータ量、若しくは所定のデータ量未満とされることが好ましい。第２の無線データのデータ量は、例えば、１２８バイト、若しくは１２８バイト未満とすることができる。第２の無線データのデータ量を抑えることで、第２の無線データを送信する携帯端末３の通信量を抑えることができる。その結果、第２の無線データを送信する携帯端末３の消費電力を抑えることができる。
【００２７】
なお、本実施の形態にかかる車載装置２は、１つの車載本体部２１と、１つの車載通信機２２を有している。車載装置２は、図２に示すように、１つの車載本体部２１と１つの車載通信機２２とが、センターコンソール１０１に配置されている。車載装置２は、１つの車載本体部２１と、１つの車載通信機２２を有する構成だけに限定されない。車両１０の車内に、第１の発信機２２１と第１の受信機２２２とを対とした車載通信機２２が複数配置されてもよい。つまり、車載装置２は、１つの車載本体部２１と、複数の車載通信機２２と、を備えていてもよい。車載装置２は、例えば、車内の異なる場所に、車載通信機２２をそれぞれ配置することができる。具体的には、車内のセンターコンソール１０１に車載通信機２２を配置し、運転席のヘッドレスト裏面側及び助手席のヘッドレスト裏面側に車載通信機２２を配置することができる。車内に複数の車載通信機２２を配置することで、運転席、助手席、後部座席のいずれの座席にユーザが居ても車載通信機２２を利用することができる。
【００２８】
携帯端末３は、図１に示すように、携帯制御部３１と、第２の記憶部３３と、位置情報取得部３４と、携帯表示部３５と、第２の発信機３６１と、第２の受信機３６２と、ネットワーク通信部３７と、第２の入力部３８と、第２の出力部３９とを備えている。本実施の形態において、携帯端末３は、通話機能、地図表示機能及び情報検索機能を有している。携帯端末３の例として、スマートフォン、タブレット端末、ノートパソコン、若しくは携帯電話が挙げられる。本実施の形態では、携帯端末３が通信端末として機能できるように構成されている。通信端末は、移動体通信システムにおける通信ネットワークを介して、インターネットに接続できるように構成されている。通信端末は、インターネットに接続して、各種の情報を収集することができる。
【００２９】
携帯端末３の通話機能は、携帯制御部３１が第２の記憶部３３に記憶された通話プログラムに基づく処理を実行させることにより実現される。携帯端末３の地図表示機能は、携帯制御部３１が第２の記憶部３３に記憶された地図表示プログラムに基づく処理を実行させることにより実現される。携帯端末３の情報検索機能は、携帯制御部３１が第２の記憶部３３に記憶された情報検索プログラムに基づく処理を実行させることにより実現される。携帯制御部３１は、ＣＰＵを用いて構成されている。
【００３０】
携帯制御部３１は、第２の記憶部３３に記憶された判定プログラムに基づく処理を実行させることにより、判定部３２として機能する。
【００３１】
判定部３２は、車載装置２側から送信された第１の無線データを携帯端末３で受信したときの受信信号強度の情報と、第１の無線データに含まれる発信信号強度の情報とから、携帯端末３と車載装置２との距離を判定する。判定部３２は、距離と電波強度との関係を示す計算式、若しくは距離と電波強度との関係を示すデータテーブルに基づいて、携帯端末３と車載装置２との距離を算出している。計算式やデータテーブルは、予め第２の記憶部３３に記憶されていればよい。すなわち、判定部３２は、第２の受信機３６２で第１の無線信号を受信した信号強度から当該距離を判定することができるように構成されている。判定部３２が携帯端末３と車載装置２との距離を所定の値Ｄ又は該所定の値Ｄ未満と判定した場合、携帯制御部３１は、第２の発信機３６１を介して稼働条件指示情報を含んだ第２の無線データを発信する。本実施の形態において、判定部３２は、無線通信により無線データの転送を半径数十メートル程度に渡って行うことを許容する構成ではなく、携帯端末３が車載通信機２２にかざされた状態を判別できるように構成されている。言い換えれば、判定部３２は、携帯端末３と車載装置２との距離が数センチ程度の距離を判定できるように構成されている。本実施の形態の情報連携システム１においては、ユーザが携帯端末３を車載通信機２２にかざすように配置させることで、直感的に稼働条件指示情報を携帯端末３から車載装置２へ転送させることができる。なお、第２の無線データには、稼働条件指示情報に加え、車載装置２において稼働条件指示情報に応じた各種のアプリケーション機能を開始させることができるように、制御部２１１を機能させるトリガー情報を含んでいてもよい。本実施の形態では、稼働条件指示情報として、携帯端末３のユーザ識別情報であるユーザプロファイルを用いる。情報連携システム１は、携帯端末３のユーザ識別情報に応じて、ユーザプロファイルごとに車載装置２の画面設定を変更できるように構成されている。言い換えれば、ユーザが車載装置２に稼働条件を直接設定することなく、ユーザの携帯端末３にある稼働条件指示情報を車載装置２に送信して車載装置２が自動的に稼働条件を設定することができる。
【００３２】
第２の記憶部３３は、通話プログラム、通話機能に必要な各種情報を記憶するストレージである。第２の記憶部３３は、情報検索プログラム、情報検索機能に必要な各種情報を記憶していてもよい。第２の記憶部３３は、地図表示プログラム、地図表示機能に必要な各種情報を記憶していてもよい。第２の記憶部３３は、ユーザが第２の入力部３８から入力した稼働条件指示情報を記憶する。稼働条件指示情報としては、例えば、ユーザが携帯端末３に登録したユーザ識別情報を用いてもよい。稼働条件指示情報としては、予め携帯端末３に登録されている携帯端末３毎のユーザ識別情報を用いてもよい。第２の記憶部３３は、例えば、不揮発性メモリが用いられる。不揮発性メモリとしては、例えば、ＳＳＤが挙げられる。
【００３３】
位置情報取得部３４は、携帯端末３の現在位置の位置情報を取得することができるように構成されている。位置情報取得部３４として、例えば、ＧＰＳセンサが用いられる。
【００３４】
携帯表示部３５は、携帯端末３を使用する際に必要な情報を表示する。携帯端末３を使用する際に必要な情報には、地図情報が含まれていてもよい。携帯表示部３５として、例えば、入力機能及び表示機能を備えたタッチパネルを採用できる。携帯表示部３５として、タッチパネルの代わりに、入力機能を持たない単なる表示装置を採用してもよい。
【００３５】
第２の発信機３６１は、第２の無線データを発信する。第２の発信機３６１は、例えば、ＢＬＥ等の通信規格に対応した通信ができるように構成されている。
【００３６】
第２の受信機３６２は、第１の無線データを受信する。第２の受信機３６２は、例えば、所定の時間間隔で受信可能な電波があるか否かをスキャンすることができるように構成されている。第２の受信機３６２は、受信可能な電波として第１の無線データを検出すると、当該第１の無線データを受信することができるように構成されている。言い換えれば、第２の受信機３６２は、第１の無線データが発信されていないかの電波のスキャンをしている。第２の受信機３６２が実施する電波のスキャン時間は、車載装置２の第１の発信機２２１から発信される第１の無線データの発信の時間間隔より十分に長く設定されていることが好ましい。第２の受信機３６２は、例えば、ＢＬＥ等の通信規格に対応した通信ができるように構成される。
【００３７】
ネットワーク通信部３７は、他の通信装置と通信可能に接続できるように構成されている。ネットワーク通信部３７は、通信ネットワークを介して、他の通信装置に情報を送信し、若しくは他の通信装置から情報を受信する。ネットワーク通信部３７は、移動体通信システムにおけるモバイル通信の通信規格に対応するように構成されている。
【００３８】
第２の入力部３８は、ユーザが携帯端末３に各種情報を入力することができるように構成されている。車載装置２の稼働条件を指示する稼働条件指示情報は、第２の入力部３８により入力されてもよい。携帯表示部３５にタッチパネルが採用されている場合には、タッチパネルが第２の入力部３８を兼ねていてもよい。第２の入力部３８として、タッチパネルの代わりに、入力専用の入力装置を採用してもよい。入力装置による情報の入力形態として、例えば、音声入力、物理キーによる入力、若しくは外部機器からの信号入力が挙げられる。
【００３９】
第２の出力部３９は、携帯制御部３１によって処理された出力情報を出力することができるように構成されている。第２の出力部３９による出力形態としては、例えば、音声出力、若しくは外部機器への信号出力が挙げられる。
【００４０】
本実施の形態にかかる情報連携システム１は、車載装置２と携帯端末３との間でデータを送信及び受信する際に、相互に電波の届く範囲にある機器を探索し、その中から繋ぎたい相手を選択して、双方に同じ暗証番号を入力することで相互に認証を行うペアリング処理を予め行わなくてもよい。言い換えれば、情報連携システム１は、携帯端末３から車載装置２へデータを送信する場合、ＢＬＥの通信規格を使用した機器を利用してペアリング処理をすることなく、携帯端末３を用いて車載装置２の稼働条件を設定することができる。特に、本実施の形態にかかる情報連携システム１は、所定の値Ｄを小さく設定しておくことで、ユーザ以外の車外の者が使用することを阻むことができる。すなわち、情報連携システム１は、車載装置２と携帯端末３との物理的な距離によって、外部からのアクセスを抑制することができる。また、本実施の形態にかかる情報連携システム１は、ペアリング処理を行わないことで、初めて車載装置２と接続する携帯端末３でＩＤ、パスワード設定等の初期設定を車載装置２との間で行う必要がなくなる。本実施の形態にかかる情報連携システム１は、誰でも携帯端末３を車載装置２に近づけることで、車載装置２へのデータの送信及び受信を行うことができる。
【００４１】
次に、本実施の形態の情報連携システム１において、携帯端末３により稼働条件を車載装置２に設定する手順を図３から図９を参照しながら説明する。なお、以下に説明する車載装置２及び携帯端末３の処理動作は、車載装置２及び携帯端末３にそれぞれ組み込まれた各種プログラムの実行により実現される。
【００４２】
携帯端末３には、図３に示すように、先ず、ユーザの所定操作により稼働条件指示情報が入力される（Ｓ１）。図３では、ユーザの操作を白抜きの矢印で示している。稼働条件指示情報は、携帯端末３に所定の操作を行うことで入力される。携帯制御部３１は、入力された稼働条件指示情報を第２の記憶部３３に記憶させる。
【００４３】
本実施の形態では、ユーザが稼働条件指示情報を携帯端末３に入力するために、携帯端末３は、図４に示すように、携帯表示部３５に稼働条件指示情報の入力用画面３５０を表示させるように構成されている。入力用画面３５０には、稼働条件指示情報の入力欄として、ユーザを特定するための情報であるユーザプロファイルの入力欄３５１が設けられている。入力欄３５１に入力される情報としては、例えば、ユーザの氏名、住所及び電話番号が挙げられる。携帯制御部３１は、入力されたユーザプロファイルを稼働条件指示情報として、第２の記憶部３３に記憶させる。
【００４４】
稼働条件指示情報が入力された後、ユーザが所定操作することで、携帯制御部３１は、入力された稼働条件指示情報を車載装置２側へ転送すべき稼働条件指示情報として設定する（Ｓ２）。具体的には、携帯制御部３１は、図４に示すように、携帯表示部３５の画面に表示された入力用画面３５０に設定ボタン３５３が表示される。携帯制御部３１は、設定ボタン３５３がユーザによってタッチ操作されることにより、入力された稼働条件指示情報としてのユーザプロファイルを、設定された稼働条件指示情報として第２の記憶部３３に記憶させる。
【００４５】
稼働条件指示情報の設定が行われた後、図５に示すように、携帯端末３を車載通信機２２に近づけることを促すアテンション画面３５４の表示を行う（Ｓ３）。携帯端末３は、アテンション画面３５４の表示を行うとともに、第１の無線データを検出するためのスキャン動作を開始する。
【００４６】
ユーザは、アテンション画面３５４の表示に従って、携帯端末３を車載通信機２２に近づける（Ｓ４）。
【００４７】
車載装置２は、電源が入力されると、車載通信機２２の第１の発信機２２１が、発信信号強度の情報を含んだ第１の無線データの発信状態と、第１の無線データの発信停止状態とを、所定の時間間隔で繰り返す。携帯端末３が車載通信機２２と所定の距離内にあれば、携帯端末３の第２の受信機３６２は、第１の無線データの受信が可能となる。第１の無線データの受信が可能な所定の距離としては、例えば、数メートルとすることができる。そして、携帯端末３では、判定部３２が、第１の無線データを受信した受信信号強度の情報と、第１の無線データに含まれる発信信号強度の情報とから、携帯端末３と車載装置２との距離が所定の値Ｄ以下であるか否かを判定する判定処理を行う（Ｓ５）。携帯端末３と車載装置２との距離が所定の値Ｄ以下であると判定した場合、携帯制御部３１は、第２の発信機３６１により、稼働条件指示情報及びトリガー情報を含む第２の無線データを発信する（Ｓ６）。所定の値Ｄとしては、例えば０．０５ｍ以下が挙げられる。第２の発信機３６１は、一定期間の間、所定の時間間隔で第２の無線データを発信する。図３では、無線データ送信を黒矢印で示している。携帯制御部３１は、図６に示すように、第２の無線データの発信中に「送信中」の送信ポップアップ画面３５５の表示を携帯表示部３５にて行う（Ｓ７）。
【００４８】
一方、判定処理において、判定部３２が、携帯端末３と車載装置２との距離が所定の値Ｄを超えていると判定した場合、携帯制御部３１は、第２の無線データを発信することなく、繰り返し第１の無線データを受信して判定処理を行う。携帯制御部３１は、繰り返し判定処理を実施している間も図５に示すアテンション画面３５４の表示を継続して行う。
【００４９】
携帯制御部３１は、一定期間の経過後、第２の無線データの発信を完了させると（Ｓ８）、図７に示すように、「送信完了」の完了ポップアップ画面３５６の表示を携帯表示部３５にて行う（Ｓ９）。
【００５０】
一方、車載装置２側では、車載通信機２２の第１の受信機２２２が第２の無線データを受信すると、トリガー情報に基づいて、制御部２１１が稼働条件指示情報であるユーザプロファイルを第１の記憶部２１３に記憶させる。また、制御部２１１は、図８に示すように、「ユーザプロファイルを受信しました。設定しますか？」という稼働条件設定画面２５０の表示を車載表示部２１５にて行う（Ｓ１０）。稼働条件設定画面２５０には、「はい」の肯定ボタン２５１と、「いいえ」の否定ボタン２５２が表示されている。稼働条件設定画面２５０の表示に対して、ユーザが「はい」の肯定ボタン２５１をタッチ操作すると、車載装置２の制御部２１１は、受信した第２の無線データに含まれている稼働条件指示情報に従って稼働条件を設定する（Ｓ１１）。具体的には、制御部２１１は、受信したユーザプロファイルに従って、予め第１の記憶部２１３に登録されたユーザプロファイルと画面設定情報の対応情報に基づいて車載表示部２１５に表示される画面の表示条件を設定する。つまり、車載表示部２１５に表示される画面を、ユーザ好みの画面設定に変更する。次に、制御部２１１は、ユーザ好みの画面設定において、現在位置取得部２１４により取得した現在位置をスタートＳの位置とし、別途に設定した目的地をゴールＧとする経路探索を経路探索部２１２にて行う（Ｓ１２）。
【００５１】
経路探索部２１２が経路探索した後、図９に示すように、ユーザ好みの画面設定にされた車載表示部２１５において、探索された経路２５３が表示される。経路２５３の是非をユーザが判断し、表示した経路２５３を採用する場合、所定操作が行われ、ナビゲーションが開始する（Ｓ１３）。その後、車両１０が目的地に到着すると、車載装置２の制御部２１１は、ナビゲーションを終了する（Ｓ１４）。
【００５２】
以上に説明した、本実施の形態にかかる情報連携システム１によれば、車載装置２と携帯端末３との距離が所定の値Ｄ以下となる状態であれば、携帯端末３で入力された稼働条件指示情報が車載装置２に送信される。情報連携システム１は、車載装置２において、携帯端末３から受信した稼働条件指示情報に基づいて、稼働条件が自動的に設定される。このため、複数のユーザが車載装置２を使用する場合においても、ユーザ毎に稼働条件を車載装置２に入力する手間が省かれる。
【００５３】
また、ユーザが持つ携帯端末３と車載装置２との距離を値Ｄ以下にできるように、所定の値Ｄを小さく設定しておくことで、携帯端末３で車載装置２の稼働条件の設定ができる者を、車内に居る車両１０を使用できる者に制限することができる。
【００５４】
また、第１の受信機２２２は、必ずしも、センターコンソール１０１から露出した位置に設置する必要はない。第１の受信機２２２は、第２の無線データを発信する条件となる携帯端末３と車載装置２との距離として所定の値Ｄを調整することで、センターコンソール１０１の表面からセンターコンソール１０１内に数ｃｍから数１０ｃｍ入り込んだ位置にも設置することが可能となる。したがって、車載通信機２２の取り付け位置によって、車両１０のセンターコンソール１０１及びその周辺部品の設計の自由度が狭められることはない。
【００５５】
以下、本実施の形態の変形例１及び変形例２について説明する。
【００５６】
＜変形例１＞
変形例１は、上述の情報連携システム１において、車載装置２の第１の発信機２２１が第１の無線データに車載装置２に予め設定された識別情報を含めて発信できるように構成されている。また、携帯端末３の第２の発信機３６１は、第２の無線データに、車載装置２から受信した車載装置２の識別情報を含めて発信するように構成されている。そして、車載装置２の制御部２１１が、第１の受信機２２２によって受信した第２の無線データに自身の識別情報が含まれている場合に限り、受信した第２の無線データに含まれる稼働条件指示情報を、第１の記憶部２１３に記憶させる。変形例１は、識別情報を用いて車載装置２の稼働条件指示情報を設定するように制御する構成以外について、上述の情報連携システム１と同様の構成で形成されている。変形例１は、上述の情報連携システム１よりも、よりセキュリティの高い構成とすることができる。
【００５７】
＜変形例２＞
本実施の形態にかかる情報連携システム１、又は変形例１に係る情報連携システムにおいて、携帯端末３の第２の発信機３６１が、第２の無線データに位置情報取得部３４が取得した位置情報を含めて発信し、車載装置２が、現在位置取得部２１４が取得した現在位置と、携帯端末３から受信した携帯端末３の位置情報とが所定の範囲内にある場合に限り、現在位置から受信した第２の無線データに含まれる稼働条件指示情報に応じて予め設定された目的地までの経路を探索するように設定してもよい。ここでいう所定の範囲は、例えば１．０ｍ以下とすることができる。変形例２は、上述の情報連携システム１よりも、セキュリティを向上させることができる。
【００５８】
＜変形例３＞
本実施の形態にかかる情報連携システム１、変形例１、又は変形例２に係る情報連携システムにおいて、車載本体部２１がオーディオ機能で音楽を再生する際に使用する曲の情報を、ユーザプロファイルとともに又はユーザプロファイルの代わりに、稼働条件指示情報として第２の無線データに含めてもよい。
稼働条件指示情報に、ユーザプロファイルとともに曲の情報を含める場合、図４に示す入力用画面３５０には、曲の情報の入力欄が設けられることが好ましい。入力欄に入力される曲の情報として、例えば、曲名、歌手名の情報、若しくは作曲者名の情報が挙げられる。なお、携帯端末３に予め複数の曲が記憶されている場合、携帯表示部３５に表示された曲名の情報、歌手名の情報、又は作曲者名の情報が、ユーザの所定操作により選択されて、曲の情報として入力されるように構成されてもよい。検索機能により複数の曲のうち、特定の曲の情報を入力する場合、携帯表示部３５に曲を表示し、ユーザが特定の位置をタップ操作することで選曲された曲の情報が携帯端末３に入力されるように構成されてもよい。携帯制御部３１は、ユーザがタップ操作により選曲した曲の情報を第２の記憶部３３に記憶する。
車載装置２の制御部２１１の稼働設定部２１８は、受信した曲の情報に従って、音楽を再生できるようにオーディオ機能を設定する。
【００５９】
＜変形例４＞
本実施の形態にかかる情報連携システム１においては、ユーザプロファイルと画面設定情報の対応情報が車載装置２の第１の記憶部２１３に登録されており、車載装置２の制御部２１１は、携帯端末３から受信したユーザプロファイルと上記対応情報とに基づいて車載表示部２１５に表示される画面の表示条件を設定する。この変形例として、上記対応情報を携帯端末３の第２の記憶部３３に登録しておき、携帯端末３において、入力されたユーザプロファイルを上記対応情報に基づいてユーザ好みの画面設定情報を特定し、特定したユーザ好みの画面設定情報を稼働条件指示情報として第２の無線データに含めるように、携帯端末３が構成されてもよい。
【００６０】
以上に説明した本発明は、その精神や主旨または主要な特徴から逸脱することなく、他のいろいろな形で実施することができる。そのため、上述の実施形態はあらゆる点で単なる例示にすぎず、限定的に解釈してはならない。すなわち、上記の実施形態は例にすぎない。
【産業上の利用可能性】
【００６１】
本発明は、車両に搭載される車載装置と携帯端末とを備えた情報連携システムに適用できる。
【符号の説明】
【００６２】
１  情報連携システム
２  車載装置
２１８  稼働設定部
２２  車載通信機
２２１  第１の発信機
２２２  第１の受信機
３  携帯端末
３２  判定部
３６１  第２の発信機
３６２  第２の受信機
１０  車両
【図１】
2020053987.tif 000003
【図２】
2020053987.tif 000004
【図３】
2020053987.tif 000005
【図４】
2020053987.tif 000006
【図５】
2020053987.tif 000007
【図６】
2020053987.tif 000008
【図７】
2020053987.tif 000009
【図８】
2020053987.tif 000010
【図９】
2020053987.tif 000011